(57)【要約】      （修正有）【課題】最小限の付加素子を用いるだけで、基準周波数信号を共振回路接続ラインから有効に接地点にバイパスさせた電圧制御発振器を提供する。【解決手段】チューニング電圧によってバラクタダイオードを含んだ共振回路３の共振周波数が制御される高周波発振回路４と、基準周波数発生素子１０を備えＰＬＬ回路８に基準周波数信号を供給する基準信号発生回路９と、高周波発振回路４の発振周波数信号と基準周波数信号とを比較しその周波数差を示す誤差信号によって高周波発振回路４の周波数を制御するＰＬＬ回路８とを備え、ＰＬＬ回路８と共振回路３との間に直列接続インダクタ１２（１）と分路接続コンデンサ１２（２）からなるローパスフィルタ１２を配置し、ローパスフィルタ１２のカットオフ周波数を基準周波数信号を減衰させる周波数に設定した。【選択図】図１
0003122508.tif 000002
【実用新案登録請求の範囲】
【請求項１】
チューニング電圧によってバラクタダイオードを含んだ共振回路の共振周波数が制御される高周波発振回路と、基準周波数発生素子を備え前記ＰＬＬ回路に基準周波数信号を供給する基準信号発生回路と、前記高周波発振回路の発振周波数信号と前記基準周波数信号とを比較しその周波数差を示す誤差信号によって前記高周波発振回路の周波数を制御するＰＬＬ回路とを備え、前記ＰＬＬ回路と前記共振回路との間に直列接続インダクタと分路接続コンデンサとからなるローパスフィルタを配置し、このローパスフィルタのカットオフ周波数を前記基準周波数信号を減衰させる周波数に設定したことを特徴とする電圧制御発振器。
【請求項２】
前記ローパスフィルタと前記共振回路との間に抵抗を介挿したことを特徴とする請求項１に記載の電圧制御発振器。
【考案の詳細な説明】
【技術分野】
【０００１】
本考案は、電圧制御発振器に係り、特に、電圧制御発振器がＰＬＬ回路によって周波数制御される場合、ＰＬＬ回路に接続された基準周波数発振器からの基準周波数信号が電圧制御発振器に漏れたときの妨害の発生を未然に防ぐ手段を設けた電圧制御発振器に関する。
【背景技術】
【０００２】
一般に、ＵＨＦ−ＶＨＦテレビジョンチューナは、通常、主要な回路部分が集積回路で構成されており、この集積回路内にＵＨＦ用混合回路、ＶＨＦハイバンド用混合回路、ＶＨＦローバンド用混合回路が配置されている。そして、それぞれの混合回路は、局部発振周波数信号を発生する電圧制御発振器を備え、これらの電圧制御発振器に対して、それらの発振周波数を制御する共通のＰＬＬ回路とそのＰＬＬ回路に基準周波数信号を供給する基準周波数信号発振器とが別途配置されている。この場合、ＵＨＦ−ＶＨＦテレビジョンチューナを集積回路で構成された例としては、例えば、特開２００３−２３４９７１号公報がある。
【０００３】
ここで、図３は、かかる既知の集積回路化したＵＨＦ−ＶＨＦテレビジョンチューナにおける要部構成を示すもので、電圧制御発振器の構成部分及びその近傍の構成部分を抽出して表わした回路構成図である。
【０００４】
図３に示されるように、このＵＨＦ−ＶＨＦテレビジョンチューナは、集積回路３１によって構成されるもので、集積回路３１の内部には、ＵＨＦ用電圧制御発振器（ＵＨＦ）３２と、ＶＨＦハイチャネル用電圧制御発振器（ＶＨＦ−Ｈ）３４と、ＶＨＦローチャネル用電圧制御発振器（ＶＨＦ−Ｌ）３６と、ＰＬＬ回路（ＰＬＬ）３８と、基準周波数信号発振器（ＸＴＡＬ）３９が形成されている。また、集積回路３０の外付け回路としては、主たるものとして、ＵＨＦ用共振回路３３と、ＶＨＦハイチャネル用共振回路３５と、ＶＨＦローチャネル用共振回路３７と、水晶振動子４０と、結合回路４１と、バイパスコンデンサ４２と、チューニング電圧供給ライン４３と、中間周波信号伝送ライン４４と、電源ライン４５と、ＵＨＦ用電圧制御発振器３２とＵＨＦ用共振回路３３とを接続する共振回路接続ライン４６とがそれぞれ形成配置されている。そして、これらの回路及び構成要素３２乃至４６は、図３に図示されるように相互接続されている。
【０００５】
この場合、ＵＨＦ用共振回路３３は、２つのバラクタダイオード３３（１）、３３（２）と、インダクタ３３（３）と、コンデンサ３３（４）とからなり、ＶＨＦハイチャネル用共振回路３５は、バラクタダイオード３５（１）と、インダクタ３５（２）と、２つのコンデンサ３５（３）、３５（４）とからなり、ＶＨＦローチャネル用共振回路３７は、バラクタダイオード３７（１）と、インダクタ３７（２）と、コンデンサ３７（３）とからなり、それらの素子３３（１）乃至３３（４）、３５（１）乃至３５（４）、３７（１）乃至３７（３）は、図３に図示されるように接続されている。
【０００６】
前記構成を備えたＵＨＦ−ＶＨＦテレビジョンチューナは、次のように動作する。いま、このＵＨＦ−ＶＨＦテレビジョンチューナでＵＨＦ帯のテレビジョン信号を受信する場合は、図示されない制御部からＵＨＦ選択信号が供給され、そのＵＨＦ選択信号によってＵＨＦ用電圧制御発振器３２とＵＨＦ用共振回路３３とが動作状態になり、ＵＨＦ帯のテレビジョン信号の受信が可能になる。また、このＵＨＦ−ＶＨＦテレビジョンチューナでＶＨＦハイチャネル帯のテレビジョン信号を受信する場合は、図示されない制御部からＶＨＦハイチャネル選択信号が供給され、そのＶＨＦハイチャネル選択信号によってＶＨＦハイチャネル用電圧制御発振器３４とＶＨＦハイチャネル用共振回路３５とが動作状態になり、ＶＨＦハイチャネル帯のテレビジョン信号の受信が可能になる。さらに、このＵＨＦ−ＶＨＦテレビジョンチューナでＶＨＦローチャネル帯のテレビジョン信号を受信する場合は、図示されない制御部からＶＨＦローチャネル選択信号が供給され、そのＶＨＦローチャネル選択信号によってＶＨＦローチャネル用電圧制御発振器３６とＶＨＦローチャネル用共振回路３７とが動作状態になり、ＶＨＦローチャネル帯のテレビジョン信号の受信が可能になる。
【特許文献１】特開２００３−２３４９７１号公報
【考案の開示】
【考案が解決しようとする課題】
【０００７】
前記既知のＵＨＦ−ＶＨＦテレビジョンチューナは、ＵＨＦ帯のテレビジョン信号の受信を行っているとき、基準周波数信号発振器３９が発生する約４ＭＨｚの基準周波数信号がＰＬＬ回路３８に供給されたあと、ＰＬＬ回路３８から漏洩してＵＨＦ用電圧制御発振器３２に入り込み、さらに、ＵＨＦ用電圧制御発振器３２から共振回路接続ライン４６を通してＵＨＦ用共振回路３３方向に伝送され、漏洩基準周波数信号に基づく不所望な映像ビートを発生させたり、音声信号のＳ／Ｎを劣化させたりすることがあった。
【０００８】
この場合、共振回路接続ラインには、通常、高周波的接地点との間に不要信号を接地点にバイパスさせるバイパスコンデンサ４２が接続されているが、このバイパスコンデンサ４２は、局部発振周波数信号に対して低インピーダンスを示すものの、それよりもかなり低い周波数である基準周波数信号に対しては低インピーダンスにならず、このバイパスコンデンサ４２を通して接地点にバイパスさせることはできない。
【０００９】
本考案は、このような技術的背景に鑑みてなされたもので、その目的は、最小限の付加素子を用いるだけで、基準周波数信号を共振回路接続ラインから有効に接地点にバイパスさせるようにした電圧制御発振器を提供することにある。
【課題を解決するための手段】
【００１０】
前記目的を達成するために、本発明による電圧制御発振器は、チューニング電圧によってバラクタダイオードを含んだ共振回路の共振周波数が制御される高周波発振回路と、基準周波数発生素子を備えＰＬＬ回路に基準周波数信号を供給する基準信号発生回路と、高周波発振回路の発振周波数信号と基準周波数信号とを比較しその周波数差を示す誤差信号によって高周波発振回路の周波数を制御するＰＬＬ回路とを備え、ＰＬＬ回路と共振回路との間に直列接続インダクタと分路接続コンデンサとからなるローパスフィルタを配置し、このローパスフィルタのカットオフ周波数を基準周波数信号を減衰させる周波数に設定した構成手段を具備する。
【００１１】
この場合、前記構成手段におけるローパスフィルタと共振回路との間に抵抗を介挿しているものである。
【考案の効果】
【００１２】
このように、本考案の電圧制御発振器によれば、ＰＬＬ回路と共振回路との間に直列接続インダクタと分路接続コンデンサとからなるローパスフィルタを接続配置し、このローパスフィルタのカットオフ周波数を基準周波数信号を減衰させる周波数に設定するようにしたので、簡単な回路構成を用いることによって有効に基準周波数信号を減衰させることができ、映像ビートの発生をなくし、音声信号のＳ／Ｎの劣化を防ぐことができるという効果がある。
【考案を実施するための最良の形態】
【００１３】
以下、本発明の実施の形態を図面を参照して説明する。
【実施例】
【００１４】
図１は、本考案による電圧制御発振器の一実施例を示すもので、その要部構成を示すものであって、電圧制御発振器の構成部分及びその近傍の構成部分を抽出して表わした回路構成図である。
【００１５】
図１に示されるように、このＵＨＦ−ＶＨＦテレビジョンチューナは、集積回路１によって構成されるもので、集積回路１の内部には、ＵＨＦ用電圧制御発振器（ＵＨＦ）２と、ＶＨＦハイチャネル用電圧制御発振器（ＶＨＦ−Ｈ）４と、ＶＨＦローチャネル用電圧制御発振器（ＶＨＦ−Ｌ）６と、ＰＬＬ回路（ＰＬＬ）８と、基準周波数信号発振器（ＸＴＡＬ）９が形成されている。また、集積回路１の外付け回路としては、主なものとして、ＵＨＦ用共振回路３と、ＶＨＦハイチャネル用共振回路５と、ＶＨＦローチャネル用共振回路７と、水晶振動子１０と、結合回路１１と、ローパスフィルタ１２と、直列抵抗１３と、チューニング電圧供給ライン１４と、電源ライン１５と、中間周波信号伝送ライン１６と、ＵＨＦ用電圧制御発振器２とＵＨＦ用共振回路３とを接続する共振回路接続ライン１７とがそれぞれ形成配置されている。
【００１６】
そして、集積回路１の内部において、ＵＨＦ用電圧制御発振器２、ＶＨＦハイチャネル用電圧制御発振器４、ＶＨＦローチャネル用電圧制御発振器６は、ＰＬＬ回路８に接続され、ＰＬＬ回路８は基準周波数信号発振器９に接続される。また、ＵＨＦ用電圧制御発振器２は、集積回路１の１番ピン及び共振回路接続ライン１７を通してＵＨＦ用共振回路３に接続され、ＶＨＦハイチャネル用電圧制御発振器４は、集積回路１の２２番ピン及び共振回路接続ライン（図番なし）を通してＶＨＦハイチャネル用共振回路５に接続され、ＶＨＦローチャネル用電圧制御発振器６は、集積回路１の２４番ピン及び共振回路接続ライン（図番なし）を通してＶＨＦローチャネル用共振回路７に接続される。基準周波数信号発振器８は、集積回路１の３番ピン及び抵抗（図番なし）を通して水晶振動子１０に接続される。さらに、ＵＨＦ用共振回路３は、直列抵抗１３とローパスフィルタ１２と結合回路１１とを通して集積回路１の５番ピンに接続され、結合回路１１を通さずにチューニング電圧供給ライン１４に接続される。また、電源ライン１５は、集積回路１の４番ピンに接続され、中間周波信号伝送ライン１６は、集積回路１の７番ピンに接続される。
【００１７】
この場合、ＵＨＦ用共振回路３は、２つのバラクタダイオード３（１）、３（２）と、インダクタ３（３）と、コンデンサ３（４）と、抵抗３（５）とからなり、ＶＨＦハイチャネル用共振回路５は、バラクタダイオード５（１）と、インダクタ５（２）と、２つのコンデンサ５（３）、５（４）と、抵抗５（５）とからなり、ＶＨＦローチャネル用共振回路７は、バラクタダイオード７（１）と、インダクタ７（２）と、２つのコンデンサ７（３）、７（４）と、抵抗７（５）とからなり、それらの素子３（１）乃至３（５）、５（１）乃至５（５）、７（１）乃至７（５）は、図１に図示されるように相互接続されている。
【００１８】
また、ローパスフィルタ１２は、直列接続インダクタ１２（１）と分路接続コンデンサ１２（２）とからなり、直列接続インダクタ１２（１）のインダクタンス値Ｌと分路接続コンデンサ１２（２）の容量値Ｃで決まるカットオフ周波数を基準周波数信号を大きく減衰させるような値に設定している。また、ローパスフィルタ１２とＵＨＦ用共振回路３との間には、小さい抵抗値を持った直列抵抗１３が接続される。
【００１９】
前記構成を備えたＵＨＦ−ＶＨＦテレビジョンチューナは、次のように動作する。
【００２０】
いま、このＵＨＦ−ＶＨＦテレビジョンチューナでＵＨＦ帯のテレビジョン信号を受信する場合は、図示されない制御部からＵＨＦ選択信号が供給され、そのＵＨＦ選択信号によってＵＨＦ用電圧制御発振器２とＵＨＦ用共振回路３とが動作状態になり、ＵＨＦ帯のテレビジョン信号の受信が可能になる。また、このＵＨＦ−ＶＨＦテレビジョンチューナでＶＨＦハイチャネル帯のテレビジョン信号を受信する場合は、図示されない制御部からＶＨＦハイチャネル選択信号が供給され、そのＶＨＦハイチャネル選択信号によってＶＨＦハイチャネル用電圧制御発振器４とＶＨＦハイチャネル用共振回路５とが動作状態になり、ＶＨＦハイチャネル帯のテレビジョン信号の受信が可能になる。さらに、このＵＨＦ−ＶＨＦテレビジョンチューナでＶＨＦローチャネル帯のテレビジョン信号を受信する場合は、図示されない制御部からＶＨＦローチャネル選択信号が供給され、そのＶＨＦローチャネル選択信号によってＶＨＦローチャネル用電圧制御発振器６とＶＨＦローチャネル用共振回路７とが動作状態になり、ＶＨＦローチャネル帯のテレビジョン信号の受信が可能になる。
【００２１】
このＵＨＦ−ＶＨＦテレビジョンチューナは、既知のＵＨＦ−ＶＨＦテレビジョンチューナと同様に、ＵＨＦ帯のテレビジョン信号の受信を行っているとき、基準周波数信号発振器９が発生する約４ＭＨｚの基準周波数信号がＰＬＬ回路８に供給されたあと、ＰＬＬ回路８から漏洩してＵＨＦ用電圧制御発振器２に入り込み、さらに、ＵＨＦ用電圧制御発振器２から共振回路接続ライン６を通してＵＨＦ用共振回路３方向に伝送され、ＵＨＦ用共振回路３を通してローパスフィルタ１２に伝送される。この動作時に、ローパスフィルタ１２は、そのカットオフ周波数を基準周波数信号を大きく減衰させる周波数値に設定しているので、ＰＬＬ回路８から共振回路接続ライン１７に基準周波数信号が漏洩しても、漏洩した基準周波数信号の多くが分路接続コンデンサ１２（２）を通して高周波接地点に導かれ、基準周波数信号を大きく減衰させることができる。
【００２２】
そして、このようなカットオフ周波数特性を持ったローパスフィルタ１２を接続したときは、ローパスフィルタ１２がＵＨＦ用共振回路３に対する低インピーダンス負荷になるため、ＵＨＦ用電圧制御発振器２の発振動作が不安定になる場合あるが、このとき、ＵＨＦ用共振回路３とローパスフィルタ１２との間に小抵抗値の直列抵抗１３を接続し、ＵＨＦ用共振回路３からローパスフィルタ１２側を見たインピーダンスを高めるようにすれば、発振動作が不安定になるのを抑えることができる。
【００２３】
ここで、図２は、図１に図示された本考案の電圧制御発振器におけるＰＬＬ回路から共振回路接続ラインへ漏洩した基準周波数信号の減衰状態を示す特性図であって、比較のために図３に図示された既知の電圧制御発振器におけるＰＬＬ回路から共振回路接続ラインへ漏洩した基準周波数信号の減衰状態を併せて示している。
【００２４】
図２において、横軸はＭＨｚで表わした周波数であり、縦軸はｄＢで表わした信号レベルであり、点線部分が本考案による特性図であり、実線部分が既知のものによる特性図である。
【００２５】
図２に示されるように、本考案の電圧制御発振器によれば、共振回路接続ライン１７に漏洩した約４ＭＨｚの周波数の基準周波数信号及び約８ＭＨｚの周波数の基準周波数信号の第２次高調波周波数信号は、いずれも点線部分で示すように、既知の電圧制御発振器による同周波数の基準周波数信号及び第２次高調波周波数信号に比べて大幅に減衰されていることが判る。
【００２６】
このように、この実施例によるＵＨＦ−ＶＨＦテレビジョンチューナの電圧制御発振器によれば、ＰＬＬ回路８から漏洩する基準周波数信号によって受信映像信号の表示画像中に不所望な映像ビートが発生したり、受信音声信号のＳ／Ｎが劣化したりすることがなくなる。
【図面の簡単な説明】
【００２７】
【図１】本考案による電圧制御発振器の一実施例を示すもので、その要部構成を示すものである。
【図２】本考案の電圧制御発振器におけるＰＬＬ回路から共振回路接続ラインへ漏洩した基準周波数信号の減衰状態を示す特性図である。
【図３】既知の集積回路化したＵＨＦ−ＶＨＦテレビジョンチューナにおける要部構成を示すものである。
【符号の説明】
【００２８】
１  集積回路（ＩＣ）
２  ＵＨＦ用電圧制御発振器（ＵＨＦ）
３  ＵＨＦ用共振回路
４  ＶＨＦハイチャネル用電圧制御発振器（ＶＨＦ−Ｈ）
５  ＶＨＦハイチャネル用共振回路
６  ＶＨＦローチャネル用電圧制御発振器（ＶＨＦ−Ｌ）
７  ＶＨＦローチャネル用共振回路
８  ＰＬＬ回路（ＰＬＬ）
９  基準周波数信号発振器（ＸＴＡＬ）
１０  水晶振動子
１１  結合回路
１２  ローパスフィルタ
１３  直列抵抗
１４  チューニング電圧供給ライン
１５  電源ライン
１６  中間周波信号伝送ライン
１７  共振回路接続ライン
【図１】
0003122508.tif 000003
【図２】
0003122508.tif 000004
【図３】
0003122508.tif 000005